(57)【特許請求の範囲】
【請求項１】
随時電力供給手段および常時電力供給手段と、これら随時電力供給と常時電力供給のいずれかへの切換え手段とを配置したケース本体と、
前記ケース本体に接続されたプラグと、
前記随時電力供給の操作が可能な手段を備え且つ片手で把持可能な把手部と、
前記把手部に着脱可能としたバッテリーパックと、
を備えて成ることを特徴とする携帯型電源装置。
【請求項２】
随時電力供給手段および常時電力供給手段と、これら随時電力供給と常時電力供給のいずれかへの切換え手段および前記随時電力供給の操作が可能な手段とを配置したケース本体と、
前記ケース本体に接続されたプラグと、
極性切換手段および該極性切換手段の操作が可能な手段と、
前記ケース本体に着脱可能としたバッテリーパックと、
を備えて成ることを特徴とする携帯型電源装置。
【請求項３】
随時電力供給手段および常時電力供給手段と、これら随時電力供給と常時電力供給へのいずれかへの切換え手段とを配置したケース本体と、極性切換手段と、前記ケース本体に接続されたプラグと、前記極性切換手段の操作が可能な手段および前記随時電力供給の操作が可能な手段とを備え且つ片手で把持可能な把手部と、
前記把手部に着脱可能としたバッテリーパックと、
を備えて成ることを特徴とする携帯型電源装置。
【請求項４】
正極用と負極用のコードと、該コードの一方の端部には円筒状のコネクタと、他方には正極用と負極用の２本のクリップとを、それぞれ設けた接続ハーネスを、随時電力供給時、前記プラグに接続することを特徴とする請求項１又は請求項２又は請求項３に記載の携帯型電源装置。
【発明の詳細な説明】
【０００１】
【発明の属する技術分野】
この発明は、携帯型電源装置、特に、持ち運びが楽で、バッテリー交換時の自動車等の車両搭載の機器類（カーエアコン、時計、ラジオ、ナビゲーション、車両コンピュータ等）の各種メモリを保護するためのバックアップ用電源として使用され且つ車両に搭載した各機器類（モータ、ライト等）の動作確認が可能な携帯型電源装置に関する。
【０００２】
【従来の技術】
車両に搭載したバッテリーを交換する際には、車両に搭載されている種々の機器類（カーエアコン、時計、ラジオ、ナビゲーション、コンピュータ、カーステレオ、等）のメモリが消去されないようにバックアップ電源装置が使用される。即ち、バックアップ電源装置は、バッテリーを取り外す前に、車両のキーをＯＦＦとし、また、車両搭載のすべての前記機器類をＯＦＦとし、バックアップ電源装置の出力プラグをシガーライターソケットに差し込み、出力スイッチをＯＮとし、車両のキーをＡＣＣ（前記機器類とバッテリーとを電気的に接続）として、バックアップを開始し、交換されるべきバッテリーは、このバックアップ電源装置使用中に取り外し、充電したもの或いは新しいバッテリーを交換する間の電力を供給する装置である。このようなバックアップ電源装置は、例えば図７に示すように、バッテリーやバックアップ動作用の配線基板や充電回路基板を収納したケース本体２１に出力プラグ２４を接続したものである。また、該ケース本体２１には、出力スイッチ２２、充電入力端子２３、リセットヒューズ２５、接続ＯＫ表示灯２６、要充電・使用可表示灯（２７、２８）が設けられて、使用及び充電に便利なようにしてある。尚、このようなバックアップ電源装置は、使用後専用の充電装置で充電される。
【０００３】
【発明が解決しようとする課題】
従来のバックアップ電源装置は、あくまで車両搭載機器類のメモリ等をバックアップするのみであり、しかも上記するように専用の充電器で内蔵された電池を充電するもので機動性に欠け持ち運びに不便であり、且つコスト的にも問題があった。ところで、自動車修理工場や自動車整備工場では、車両に搭載した各種の機器類（各機器用モーター類、ライト、エアコン等）の調子が悪いとき、これらの機器が故障していないか、或いはバッテリーそのものに問題があるのか、不明確なことがある。このような場合、修理により交換した時や交換する前には機器や部品が正常に動作するか確認する必要がある。また、交換する前に機器や部品単独で動作確認したい時や、車両バッテリーが不具合を起こしており電源として使用できない時には上記したような電源装置が必要で、且つモーター等正転・逆転の確認をする場合には一々電源装置の正極と負極の接続をやり直す必要があり面倒であった。
【０００４】
この発明は、上記する課題に対処するためになされたものであり、車両搭載機器類のメモリのバックアップ電源装置として使用できるだけでなく、車両搭載の各種の機器類の動作確認を簡単に行うことが可能で且つ正極と負極の接続をやり直さなくても極性を簡単に変えることが出来て持ち運びにも便利でハンデイな携帯型電源装置を提供することを目的としている。
【０００５】
【課題を解決するための手段】
即ち、この発明は、上記する課題を解決するために、請求項１に記載の発明は、携帯型電源装置が、車両搭載機器類への随時電力供給手段および車両搭載機器類のメモリ保護用常時電力供給手段と、これら随時電力供給と車両搭載機器類のメモリ保護用常時電力供給のいずれかへの切換え手段とを配置したケース本体と、  前記本体に接続されたプラグと、
前記随時電力供給の操作が可能な手段を備え且つ片手で把持可能な把手部と、
前記把手部に着脱可能としたバッテリーパックと、
を備えて成ることを特徴とするものである。
【０００６】
請求項２に記載の発明は、携帯型電源装置が、随時電力供給手段および常時電力供給手段と、これら随時電力供給と常時電力供給のいずれかへの切換え手段および前記随時電力供給の操作が可能な手段とを配置したケース本体と、
前記ケース本体に接続されたプラグと、
極性切換手段および該極性切換手段の操作が可能な手段と、
前記ケース本体に着脱可能としたバッテリーパックと、
を備えて成ることを特徴とするものである。
【０００７】
請求項３に記載の発明は、携帯型電源装置が、随時電力供給手段および常時電力供給手段と、これら随時電力供給と常時電力供給へのいずれかへの切換え手段とを配置したケース本体と、極性切換手段と、前記本体に接続されたプラグと、前記極性切換手段の操作が可能な手段および前記随時電力供給の操作が可能な手段とを備え且つ片手で把持可能な把手部と、
前記把手部に着脱可能としたバッテリーパックと、
を備えて成ることを特徴とするものである。
【０００８】
また、請求項４に記載の発明は、請求項１または請求項２または請求項３に記載の発明において、正極用と負極用のコードと、該コードの一方の端部には円筒状のコネクタと、他方には正極用と負極用の２本のクリップとを、それぞれ設けた接続ハーネスを、随時電力供給時、前記プラグに接続することを特徴とするものである。
【０００９】
【発明の実施の形態】
以下、この発明の具体的な実施の形態について図面を参照しながら説明する。
図１はこの発明の携帯型電源装置の全体斜視図であり、図２（Ａ）は、この発明の携帯型電源装置の全体の平面図、図２（Ｂ）は図２（Ａ）のＰ部拡大図であり、図３は、この発明の携帯型電源装置の全体正面図であり、図４はこの発明の携帯型電源装置の側面図である。
【００１０】
この携帯型電源装置は、車両搭載の機器類の動作を確認する随時電力供給用およびバッテリー交換時に車両搭載の機器類のメモリを保護するため常時電力供給するバックアップ用の２つの機能を有している。即ち、この携帯型電源装置は、随時電力供給用とメモリ保護のための常時電力供給用の配線基板と、随時電力供給及び常時電力供給のいずかへの切り換え手段であるスイッチ機構（モード切換スイッチ機構は、図示省略）を操作するモード切換ボタン８等を配置したケース本体１と、更に後述する極性切換手段であるスイッチ機構（図示省略、極性切換スイッチ手段）を操作する極性切換スイッチ７と、機器類の動作を確認する随時電力供給手段に切り換えたときの動作が可能なトリガースイッチ６と、これらの極性切換スイッチ７やトリガースイッチ６を配置し、作業者がこれらのボタンの操作を片手で行うことが可能で且つ把持可能とした把手部２と、該把手部２に着脱可能としたバッテリーパック３と、前記ケース本体１に接続され、車両側のシガーライターソケットに差し込むプラグ（出力端子）４と、で構成されている。尚、後述するように、「トリガー出力モード」（機器類の動作確認のための随時電力供給手段）として使用する場合には、接続ハーネス５（図６参照）を用いると良い。
【００１１】
前記バッテリーパック３のバッテリーは、単電池を複数個組み合わせて車両搭載のバッテリーと同一電圧仕様とされたもので、この把手部２の下端から取り外して別個に用意した充電器で充電することができる。従来の電池内蔵型では、充電中に使用することはできなかったが、複数のバッテリーパック３を用意することで充電中でも使用することが出来るので作業能率が向上する。また、この携帯型電源装置は、片手で把持可能な把手部２を有し且つコンパクトに形成してあるので所謂電動工具のようにポータブルで、操作も楽で持ち運びにも極めて便利な構成としてある。
【００１２】
次に、図２（Ｂ）に示すように、前記ケース本体１の上面には、「トリガー出力」と「バックアップ」とに切り換えるためのスイッチ機構を操作するモード切換スイッチ８が、一方に「トリガー出力」他方に「バックアップ」という文字が近傍に表示されたケース本体１の開口部１ａにおいて移動可能に設けられている。こうしてモード切換スイッチ８が「トリガー出力」の場合、この携帯型電源装置は、随時電力供給可能状態となり、「バックアップ」の場合、常時電力供給可能状態となる。
【００１３】
この発明の携帯型電源装置は、モード切換スイッチ８を「トリガー出力」側に移動させトリガースイッチ６を押すことにより車両搭載の機器類が正常か否かの動作を確認する動作確認機能と、該モード切換スイッチ８を「バックアップ」側に移動させバッテリー交換時機器類のメモリを保護することのできるバックアップ機能との二つの機能を備えている。以後、前者を「トリガー出力モード」とし、後者を「バックアップモード」とする。尚、「トリガー出力」とは、機器類の動作確認時にトリガースイッチ６を押すことにより電力が供給される、という意味である。またモード切換スイッチ８が、中央の位置にあるときにはＯＦＦとなり、いずれのモードとしても動作しない。
【００１４】
前記極性切換スイッチ７は、「トリガー出力モード」時のみ使用されるものであり、前記トリガースイッチ６を引くと（手前に押すと）極性切換スイッチの切り換え位置（正／逆）に応じて出力される。尚、該極性切換スイッチ７は、前記本体１の下側に配置され、図示しない切換スイッチ機構も本体１内に設けてあるが、必ずしも本体１に設ける必要はなく、これらは把手部２内に設けても良い。或いは、ケース本体１にトリガースイッチ６や極性切換スイッチ７を設け、把手部２は単にバッテリーパック３を装着し且つ把持するのみのものであっても良い。更にまた、ケース本体１にトリガースイッチ６を設け、極性切換スイッチ７は把手部２に設けても良い。
【００１５】
前記本体１の上面の前記モード切換スイッチ８の近傍には、正極性であることを表示する表示灯９（緑）と、逆極性であることを表示する表示灯１０（赤）が取り付けてある。この正極性を表示する表示灯９（緑）が点くと、プラグ４からの出力が正極性であることを示し、逆極性を表示する表示灯１０（赤）が点くと、プラグ４からの出力が逆極性であることを示している（但し、色は任意の色で使用可）。前記極性切換スイッチ７は、手動（指）で操作するものであり、例えば図５（Ａ）に示すような位置では正極性で出力され、図５（Ｃ）では逆極性で出力され、図５（Ｂ）では、ロック状態となりトリガースイッチ６を引く（手前に押す）ことが出来なくなり、安全機構の役目をする。
【００１６】
また、前記プラグ４は、車両側のシガーライターソケットか、後述する接続ハーネス５のコネクタ５ｂ（図６参照）に差し込んで使用される。このプラグ４は、図１乃至図３に示すように、プラグ本体４ａの先端部に設ける接触端子４ｂと、プラグ本体４ａの両側に設ける二つの接触端子４ｃ，４ｃと、で構成されているが、二つの接触端子４ｃ，４ｃは同極であり、ばね（図示省略）で突出、没入可能としてある。このプラグ４は、「トリガー出力モード」の時の極性切換スイッチ７の位置により、正極性時には接触端子４ｂがプラス、二つの接触端子４ｃ，４ｃがマイナスで出力される。また、逆極性時には、二つの接触端子４ｃ，４ｃがプラス、接触端子４ｂがマイナスで出力される。尚、「バックアップモード」は、正極性で出力される。
【００１７】
次に、この発明の携帯型電源装置で、「トリガー出力モード」時に使用する接続ハーネス５について説明する。図６（Ａ）は、この接続ハーネス５の全体図であり、図６（Ｂ）は、図６（Ａ）のＱ矢視図である。この接続ハーネス５は、正極用と負極用の２本の導線を一定長さとしてビニール樹脂皮膜でコーティングしたコード５ａと、該コードの一方の端部に連結した円筒状のコネクタ５ｂと、正極用と負極用の２本のクリップ５ｃ、５ｄと、で構成される。前記コネクタ５ｂは、シガーライターソケットと同径で、円筒内部奥に正極の接触突起５ｅが設けられ、コネクタ５ｂの円筒内周面には負極の接触面となってている。すなわち、該コネクタ５ｂには、プラグ４が嵌着される。以上のような構成とした接続ハーネス５では「トリガー出力モード」において、前記コネクタ５ｂには、前記プラグ４が差し込まれ、クリップ５ｃ、５ｄを、車両搭載機器類、例えばモータの両極に挟んで動作を確認したり、或いはライトが正常に点灯するかどうかが確認される。但し、この接続ハーネス５は同じ機能を有するものであれば図５に示す形状でなくても良い。
【００１８】
この発明の携帯型電源装置の構成は、以上のようであるが、先ず、この携帯型電源装置を「トリガー出力モード」として使用する場合について説明する。尚、機器類の検査を本発明の携帯型電源装置を用いて行う場合、車両のキースイッチは「ＯＦＦ」としておく。
（１）極性切換スイッチ７が中立の状態（図４（Ｂ）の状態）でトリガースイッチ６がロックになっていることを確認し、充電したバッテリーパック３を把手部２に装着する。
（２）本体１の上面に表示されるモード切換スイッチ８を「ＯＦＦ」の状態から「トリガー出力」側へ移動する。
（３）プラグ４を、接続ハーネス５のコネクタ５ｂに差し込み、接続ハーネス５のクリップ５ｃ，５ｄを、調査しようとする機器の極性に注意して接続する。
（４）極性切換スイッチボタン７を正極性、または逆極性に設定する。極性を有する機器には必ず「正極性」位置で使用する。この場合、「正極性」のときには正極性表示灯９が点灯し、「逆極性」のときには逆極性表示灯１０が点灯するので確認することができる。
（５）トリガースイッチ６を引く（押し込む）と、極性切換スイッチの設定に応じた極性の出力（随時電力）が車両搭載機器に供給され、動作具合により正常か否か確認される。
（６）車両搭載機器から接続ハーネス５のクリップ５ｃ，５ｄを外すときには、トリガースイッチ６から手を離してから行う。
【００１９】
次に、この携帯型電源装置を「バックアップモード」として使用する場合について説明する。
（１）車両のキースイッチを「ＯＦＦ」の位置として、車両の全ての機器類（カーエアコン、カーステレオ、ナビゲーション、室内灯等）の電源スイッチを「ＯＦＦ」とする。
（２）モード切換スイッチ８を「ＯＦＦ」の位置に設定しておいて、充電したバッテリーパック３を把手部２の下部に装着する。
（３）プラグ４を車両のシガーライターソケットに差し込む。
（４）車両のキースイッチを「ＡＣＣ」の位置にする。こうして、シガーライターソケットと車両バッテリー間の電気的な接続を確認する。このとき、正極性表示灯９が点灯する。逆極性表示灯１０が点灯した時は、携帯型電源装置の出力極性と車両バッテリーとの極性が合わないため、誤って車両バッテリーを交換することによるバックアップの失敗を未然に防ぐ事ができる。
（５）モード切換スイッチ８を「バックアップ」の位置に設定する。こうして常時電力が供給されてバックアップ機能が開始される。正極性表示灯１０は点灯したままである。
（６）車両のバッテリーを取り外し、新しいバッテリーを搭載する。
（７）モード切換スイッチを「ＯＦＦ」に戻し、キースイッチを「ＡＣＣ」から「ＯＦＦ」の位置に戻し、プラグ４を車両のシガーライターソケットから抜く。
【００２０】
上記のこの発明の携帯型電源装置の実施の形態においては、「トリガー出力モード」と「バックアップモード」の二つの機能を備え且つ極性切り換え手段（スイッチ機構）及びその操作手段（極性切換スイッチ７）を操作する場合について説明したように、この極性切り換え手段は、例えばモーター駆動によるパワーウインドウ、パワーシート、等正転／逆転するような機構動作の確認に極めて便利なものである。しかし、極性を常に「正極性」とし、各機器の極性に注意してトリガー出力モードで使用することが可能ならこの極性切り換え手段及びこの操作手段は必ずしも必要なものではない。また、この発明の携帯型電源装置の上記実施の形態では、極性切換スイッチ７は、「トリガー出力モード」時のみ使用可能としたが、「バックアップモード」時にも使用可能である。
【００２１】
【発明の効果】
以上詳述したように、この発明の携帯型電源装置によれば、各種機器類の動作を確認する機能と、車両搭載の機器類のメモリを保護するバックアップ機能との２つの機能を持たせることができる。また、携帯型の電源装置としては、携帯型として手軽に持ち運び可能であり、バッテリーパックも取り外して簡単に充電することができるので、機動性に富み使用時の自由度も大きい。また、従来面倒であった車両搭載の各種機器（カーエアコン、各機器用モーター類、ライト等）の動作確認を個々に簡単にしかもモーター等正転・逆転するような機器類の動作確認を極性切換え機能により容易に行うことができる。
【図面の簡単な説明】
【図１】この発明の携帯型電源装置の全体斜視図である。
【図２】図２（Ａ）は、この発明の携帯型電源装置の全体の平面図であり、図２（Ｂ）は図２（Ａ）のＰ部拡大図である。
【図３】この発明の携帯型電源装置の全体正面図である。
【図４】この発明の携帯型電源装置の全体側面図である。
【図５】この発明の携帯型電源装置の一部側面図であって、図５（Ａ）は極性切換スイッチを「正極性」とした図、図５（Ｂ）は極性切換スイッチを「ロック状態」とした図、図５（Ｃ）は、極性切換スイッチボタンを「逆極性」とした図である。
【図６】図６（Ａ）は、この接続ハーネス５の全体図であり、図６（Ｂ）は、図６（Ａ）のＱ矢視図である。
【図７】従来の携帯型電源装置の全体斜視図である。
【符号の説明】
１    ケース本体
２    把持部
３    バッテリーパック
４    プラグ
５    接続ハーネス
６    トリガースイッチ
７    極性切換スイッチ
８    モード切換スイッチ
【図１】
0003851980.tif 000002
【図２】
0003851980.tif 000003
【図３】
0003851980.tif 000004
【図４】
0003851980.tif 000005
【図５】
0003851980.tif 000006
【図６】
0003851980.tif 000007
【図７】
0003851980.tif 000008